【手続補正書】
【提出日】平成24年8月28日(2012.8.28)
【手続補正１】
【補正対象書類名】明細書
【補正対象項目名】０００６
【補正方法】変更
【補正の内容】
【０００６】
上記課題を解決するため、請求項１に記載の発明の撮像装置は、
撮像手段を備える撮像装置であって、前記撮像手段による被写体の撮像指示を入力する操作手段と、この操作手段により前記撮像指示が入力された後、当該装置本体が特定の姿勢となっているか否かを所定のタイミングで逐次判定する判定手段と、この判定手段により当該装置本体が特定の姿勢となったと判定された場合に、前記撮像指示の入力に応答して前記撮像手段により撮像された撮像画像を、再生させる再生制御手段と、前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段と、を備えたことを特徴としている。
【手続補正２】
【補正対象書類名】明細書
【補正対象項目名】０００８
【補正方法】変更
【補正の内容】
【０００８】
請求項３に記載の発明は、請求項１に記載の撮像装置において、
動作状態が前記撮像画像を再生する再生状態にて、前記判定手段により当該装置本体が特定の姿勢となっていないと判定された場合に、直ちに前記禁止制御手段により前記撮像画像の再生を禁止させて、動作状態として前記撮像手段により被写体を撮像可能な撮像準備状態を設定する動作設定手段を更に備えることを特徴としている。
【手続補正３】
【補正対象書類名】明細書
【補正対象項目名】００１０
【補正方法】変更
【補正の内容】
【００１０】
請求項５に記載の発明は、請求項３に記載の撮像装置において、
前記操作手段は、半押し操作可能に構成され、前記動作設定手段は、動作状態が前記撮像画像を再生する再生状態にて、前記操作手段により半押し操作されると、当該動作状態として前記撮像準備状態を設定することを特徴としている。
【手続補正４】
【補正対象書類名】明細書
【補正対象項目名】００１２
【補正方法】変更
【補正の内容】
【００１２】
請求項７に記載の発明の撮像方法は、
撮像手段と、この撮像手段による被写体の撮像指示を入力する操作手段と、を備える撮像装置を用いた撮像方法であって、前記操作手段により前記撮像指示が入力された後、当該装置本体が特定の姿勢となっているか否かを所定のタイミングで逐次判定する処理と、当該装置本体が特定の姿勢となったと判定された場合に、前記撮像指示の入力に応答して前記撮像手段により撮像された撮像画像を、再生させる処理と、前記撮像指示が入力されてから所定時間が経過するまでに当該装置本体が特定の姿勢となっていないと判定された場合に、その後、当該装置本体が特定の姿勢となったとしても、前記撮像画像の再生を禁止させる処理と、を行うことを特徴としている。
【手続補正５】
【補正対象書類名】明細書
【補正対象項目名】００１３
【補正方法】変更
【補正の内容】
【００１３】
請求項８に記載の発明のプログラムは、
撮像手段と、この撮像手段による被写体の撮像指示を入力する操作手段と、を備える撮像装置のコンピュータを、前記操作手段により前記撮像指示が入力された後、当該装置本体が特定の姿勢となっているか否かを所定のタイミングで逐次判定する判定手段、この判定手段により当該装置本体が特定の姿勢となったと判定された場合に、前記撮像指示の入力に応答して前記撮像手段により撮像された撮像画像を、再生させる再生制御手段、前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段、として機能させることを特徴としている。
【手続補正６】
【補正対象書類名】明細書
【補正対象項目名】００３８
【補正方法】変更
【補正の内容】
【００３８】
操作入力部１１は、当該撮像装置１００の所定操作を行うためのものである。具体的には、操作入力部１１は、半押し及び全押し操作可能に構成され、被写体の撮像指示の入力に係るシャッタボタン１１ａ、動作モードや機能等の選択指示の入力に係る選択決定用ボタン（図示略）、ズーム量の調整指示の入力に係るズームボタン（図示略）等を備え、これらのボタンの操作に応じて所定の操作信号を中央制御部１２に出力する。
【手続補正７】
【補正対象書類名】明細書
【補正対象項目名】００４５
【補正方法】変更
【補正の内容】
【００４５】
図２に戻り、ステップＳ５の処理後、撮像制御部２は、フォーカスレンズの合焦位置や露出条件（シャッター速度、絞り、増幅率等）やホワイトバランス等の撮像条件を調整して、レンズ部１ａを通過した所定の被写体の光学像を電子撮像部１ｂにより撮像させる（ステップＳ６）。そして、画像データ生成部３は、電子撮像部１ｂから転送された撮像画像のＹＵＶデータを生成する。なお、当該撮像画像のＹＵＶデータは、画像処理部５の符号化部（図示略）により所定の圧縮形式（例えば、ＪＰＥＧ形式等）で符号化された後、記録媒体制御部８に転送されて記録媒体Ｍに記録される。
【手続補正８】
【補正対象書類名】明細書
【補正対象項目名】００４７
【補正方法】変更
【補正の内容】
【００４７】
ステップＳ２では、モードフラグの値は変更されていないため、モードフラグが「１」であると判定され（ステップＳ２；ＹＥＳ）、中央制御部１２は、処理をステップＳ３に移行して、ユーザによる操作入力部１１のシャッタボタン１１ａの所定操作に基づいて被写体の撮像指示が入力されたか否かを判定する（ステップＳ３）。
ステップＳ３にて、被写体の撮像指示が入力されていないと判定されると（ステップＳ３；ＮＯ）、姿勢判定部７ａは、姿勢検出部６により検出された当該撮像装置１００本体の姿勢に基づいて、当該撮像装置１００本体が特定の姿勢（例えば、下向きの姿勢）となっているか否かを判定する（ステップＳ９）。
【手続補正９】
【補正対象書類名】明細書
【補正対象項目名】００６０
【補正方法】変更
【補正の内容】
【００６０】
従って、動作状態が撮像画像のレックビュー画像を再生する再生状態にて、ユーザによって操作入力部１１のシャッタボタン１１ａが半押し操作されると、動作状態として撮像準備状態を設定するので、撮像画像のレックビュー画像を再生表示中であっても、操作入力部１１のシャッタボタン１１ａの半押し操作に基づいてユーザが撮像画像のレックビュー画像を視認する意図を有していないと判断して、被写体を撮像可能な撮像準備状態を直ちに設定することができる。
このとき、設定制御部７ｄにより動作状態が被写体を撮像可能な撮像準備状態に切り替えられると、合焦手段としてのＡＦ処理部２ａは、撮像部１の合焦位置を調整する自動合焦処理を行っても良い。これにより、操作入力部１１のシャッタボタン１１ａの半押し操作に基づいてユーザが被写体を撮像する意図を有していると判断して、直ちに撮像部１の合焦位置の調整を行うことができる。
このように、撮像装置１００本体の操作入力部１１のシャッタボタン１１ａの半押し操作に応じてユーザの意図を考慮した適正な動作状態を設定することができる。
【手続補正１０】
【補正対象書類名】明細書
【補正対象項目名】００６１
【補正方法】変更
【補正の内容】
【００６１】
また、上記実施形態にあっては、動作状態が再生状態から撮像準備状態に切り替えられた場合に、被写体の撮像指示が入力されてから所定時間が経過するまでに当該撮像装置１００本体が特定の姿勢となったと判定されても、当該動作状態を再生状態に切り替えることなく撮像準備状態を維持させるようにしたが、これに限られるものではなく、当該撮像装置１００本体が特定の姿勢となったと判定された場合には、何度でも当該動作状態を再生状態に切り替えて、撮像部１により撮像された撮像画像のレックビュー画像を再生表示させるようにしても良い。
このとき、ユーザによって操作入力部１１のシャッタボタン１１ａが半押し操作されると、動作状態として撮像準備状態を設定しても良く、これにより、操作入力部１１のシャッタボタン１１ａの半押し操作に基づいてユーザが当該撮像装置１００本体を特定の姿勢とした状態での被写体の撮像の意図を有していると判断して、直ちに被写体の撮像を行うことができる。
【手続補正１１】
【補正対象書類名】明細書
【補正対象項目名】００６４
【補正方法】変更
【補正の内容】
【００６４】
加えて、上記実施形態にあっては、判定手段、再生制御手段、禁止制御手段としての機能を、中央制御部１２の制御下にて、動作制御部７の姿勢判定部７ａ、再生制御部７ｂ、禁止制御部７ｃが駆動することにより実現される構成としたが、これに限られるものではなく、中央制御部１２によって所定のプログラム等が実行されることにより実現される構成としても良い。
即ち、プログラムを記憶するプログラムメモリ（図示略）に、判定処理ルーチン、再生制御処理ルーチン、禁止制御処理ルーチンを含むプログラムを記憶しておく。そして、判定処理ルーチンにより中央制御部１２のＣＰＵを、操作手段により撮像指示が入力された後、当該装置本体が特定の姿勢となっているか否かを所定のタイミングで逐次判定する判定手段として機能させるようにしても良い。また、再生制御処理ルーチンにより中央制御部１２のＣＰＵを、判定手段により当該装置本体が特定の姿勢となったと判定された場合に、前記撮像指示の入力に応答して撮像手段により撮像された撮像画像を再生させる再生制御手段として機能させるようにしても良い。また、禁止制御処理ルーチンにより中央制御部１２のＣＰＵを、判定手段により撮像指示が入力されてから所定時間が経過するまでに当該装置本体が特定の姿勢となっていないと判定された場合に、その後、当該装置本体が特定の姿勢となったとしても、再生制御手段による前記撮像画像の再生を禁止させる禁止制御手段として機能させるようにしても良い。
【手続補正１２】
【補正対象書類名】特許請求の範囲
【補正対象項目名】全文
【補正方法】変更
【補正の内容】
【特許請求の範囲】
【請求項１】
撮像手段を備える撮像装置であって、
前記撮像手段による被写体の撮像指示を入力する操作手段と、
この操作手段により前記撮像指示が入力された後、当該装置本体が特定の姿勢となっているか否かを所定のタイミングで逐次判定する判定手段と、
この判定手段により当該装置本体が特定の姿勢となったと判定された場合に、前記撮像指示の入力に応答して前記撮像手段により撮像された撮像画像を、再生させる再生制御手段と、
前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段と、
を備えたことを特徴とする撮像装置。
【請求項２】
前記再生制御手段は、
前記判定手段により前記所定時間が経過するまでに当該装置本体が特定の姿勢となったと判定された場合に、直ちに前記撮像画像を再生させることを特徴とする請求項１に記載の撮像装置。
【請求項３】
動作状態が前記撮像画像を再生する再生状態にて、前記判定手段により当該装置本体が特定の姿勢となっていないと判定された場合に、直ちに前記禁止制御手段により前記撮像画像の再生を禁止させて、動作状態として前記撮像手段により被写体を撮像可能な撮像準備状態を設定する動作設定手段を更に備えることを特徴とする請求項１に記載の撮像装置。
【請求項４】
前記動作設定手段は、
動作状態を前記再生状態から前記撮像準備状態に切り替えて設定した後、新たな撮像指示が入力されず、前記判定手段により前記所定時間が経過するまでに当該装置本体が特定の姿勢となったと判定されても、当該動作状態を前記再生状態に切り替えることなく前記撮像準備状態を維持させることを特徴とする請求項３に記載の撮像装置。
【請求項５】
前記操作手段は、半押し操作可能に構成され、
前記動作設定手段は、
動作状態が前記撮像画像を再生する再生状態にて、前記操作手段により半押し操作されると、当該動作状態として前記撮像準備状態を設定することを特徴とする請求項３に記載の撮像装置。
【請求項６】
前記動作設定手段により動作状態が前記撮像準備状態に設定されると、前記撮像手段の焦点を調整する合焦手段を更に備えることを特徴とする請求項５に記載の撮像装置。
【請求項７】
撮像手段と、この撮像手段による被写体の撮像指示を入力する操作手段と、を備える撮像装置を用いた撮像方法であって、
前記操作手段により前記撮像指示が入力された後、当該装置本体が特定の姿勢となっているか否かを所定のタイミングで逐次判定する処理と、
当該装置本体が特定の姿勢となったと判定された場合に、前記撮像指示の入力に応答して前記撮像手段により撮像された撮像画像を、再生させる処理と、
前記撮像指示が入力されてから所定時間が経過するまでに当該装置本体が特定の姿勢となっていないと判定された場合に、その後、当該装置本体が特定の姿勢となったとしても、前記撮像画像の再生を禁止させる処理と、
を行うことを特徴とする撮像方法。
【請求項８】
撮像手段と、この撮像手段による被写体の撮像指示を入力する操作手段と、を備える撮像装置のコンピュータを、
前記操作手段により前記撮像指示が入力された後、当該装置本体が特定の姿勢となっているか否かを所定のタイミングで逐次判定する判定手段、
この判定手段により当該装置本体が特定の姿勢となったと判定された場合に、前記撮像指示の入力に応答して前記撮像手段により撮像された撮像画像を、再生させる再生制御手段、
前記判定手段により前記撮像指示が入力されてから所定時間が経過するまでに当該装置本体が特定の姿勢となっていないと判定された場合に、その後、当該装置本体が特定の姿勢となったとしても、前記再生制御手段による前記撮像画像の再生を禁止させる禁止制御手段、
として機能させることを特徴とするプログラム。